(57)【要約】【課題】冷却用の吸気口が塞がれ難い誘導加熱調理器を提供する。【解決手段】トッププレート１５上の調理容器（図示せず）を加熱する加熱部（図示せず）を誘導加熱する加熱コイル２０ａと、トッププレート１５の下方の本体筐体を形成すると共に冷却ファン２４ａを内蔵する外郭ケース１７と、トッププレート１５の後方に配された排気口３２と、冷却ファン２４ａに近接し外郭ケース１７の底面に設けた第１の吸気口２５ａと、外郭ケース１７の底面を覆う底カバー３８とを備え、底カバー３８の第１の吸気口２５ａとずれた位置に複数の第２の吸気口３７を分散して設け、通気口３６を設けたキャビネット１２に組み込んで使用するもので、第１、第２の吸気口２５ａ、３７の位置がずれているので、第１の吸気口２５ａの吸引圧力が直接第２の吸気口３７にかからず、又分散して配置された第２の吸気口３７の全てが異物で遮蔽されることが少ない。【選択図】図１
2006073422.tif 000002
【特許請求の範囲】
【請求項１】
調理容器を載置するトッププレートと、前記調理容器を加熱する複数の加熱部と、前記加熱部の少なくとも１つを誘導加熱する誘導加熱手段と、前記誘導加熱手段への通電を制御する通電制御装置と、前記トッププレートの下方の本体筐体を形成すると共に前記通電制御装置と冷却ファンを内蔵する外郭ケースと、前記トッププレートの後方に配された排気口と、前記冷却ファンに近接し前記外郭ケースの底面に設けた第１の吸気口と、前記外郭ケースの底面を覆う底カバーとを備え、前記底カバーの前記第１の吸気口とずれた位置に複数の第２の吸気口を分散して設け、通気口を設けたキャビネットに組み込んで使用する誘導加熱調理器。
【請求項２】
底カバーを上面が開口した容器状に形成し、前記底カバーの縦壁面に第２の吸気口を配し、前記上面開口を第１の吸気口に連通させた請求項１に記載の誘導加熱調理器。
【請求項３】
調理容器を載置するトッププレートと、前記調理容器を加熱する複数の加熱部と、前記加熱部の少なくとも１つを誘導加熱する誘導加熱手段と、前記誘導加熱手段への通電を制御する通電制御装置と、前記トッププレートの下方の本体筐体を形成すると共に前記通電制御装置と冷却ファンを内蔵する外郭ケースと、前記トッププレートの後方に配された排気口と、前記冷却ファンに近接し前記外郭ケースの底面に設けた吸気口とを備えた調理器本体を、外気と直接連通する通気口を有する調理器設置部と収納部との間が仕切り板で仕切られたキャビネットの前記調理器設置部に組み込んで使用する誘導加熱調理器。
【請求項４】
調理器設置部と収納部空間とが仕切り板で遮断され、調理器本体に接続する電源コンセントを前記調理器設置部に収納したキャビネットに組み込んで使用する請求項３に記載の誘導加熱調理器。
【請求項５】
仕切り板の奥行きを、外郭ケースの後面と略同一の位置までとしたキャビネットに組み込んで使用する請求項３に記載の誘導加熱調理器。
【請求項６】
調理容器を載置するトッププレートと、前記調理容器を加熱する複数の加熱部と、前記加熱部の少なくとも１つを誘導加熱する誘導加熱手段と、前記誘導加熱手段への通電を制御する通電制御装置と、前記トッププレートの下方の本体筐体を形成すると共に前記通電制御装置と冷却ファンを内蔵する外郭ケースと、前記トッププレートの後方に配された排気口と、前記冷却ファンに近接し前記外郭ケースの底面に設けた吸気口とを備えた調理器本体を、外気と連通する通気口を有する収納部と調理器設置部との間が仕切り板で仕切られ、前記調理器本体を組み込んだ時に外郭ケース後面よりも後方に前記収納部と前記調理器設置部を連通する通気連結路を有するキャビネットの前記調理器設置部に組み込んで使用する誘導加熱調理器。
【請求項７】
収納部空間を単層または多層の収納庫とし、少なくとも最上層の収納庫の上面を仕切り板で塞ぐようにしたキャビネットに組み込んで使用する請求項３、５、６のいずれか１項に記載の誘導加熱調理器。
【発明の詳細な説明】
【技術分野】
【０００１】
本発明は、キッチンなどのキャビネットに組み込んで使用する誘導加熱調理器に関するものである。
【背景技術】
【０００２】
従来、この種の誘導加熱調理器は、本体を流し台に組み込み、吸気口を流し台の内部に面する外郭に配し、排気口を流し台の上面外部側に配するものがある（例えば特許文献１参照）。
【０００３】
図１２および図１３は、上記特許文献１に記載された従来の誘導加熱調理器を示すものである。
【０００４】
図１２、図１３に示すように、調理器本体１はキッチンキャビネット２の上面開口部３に落とし込んで設置され、本体１の内部には、加熱コイル４や回路基板５、冷却ファン６を備える。本体１の下面には吸気口７、本体１後方側壁には排気口８を備えている。このような構成により、本体１をキャビネット２の開口３に落とし込んで固定するだけで、本体１の冷却に必要な吸気／排気経路が確立でき、キャビネット２の内部には余分な設置工事が不要で、キャビネット２内部の吸排気リーク防止が容易にできるというものである。
【特許文献１】特開平１１−３５４２６３号公報
【発明の開示】
【発明が解決しようとする課題】
【０００５】
しかしながら上記従来の誘導加熱調理器では、本体１をキャビネット２の開口３に落とし込んで固定するだけで、本体１の冷却に必要な吸気／排気経路が確立でき、キャビネット２の内部には余分な設置工事が不要で、キャビネット２内部の吸排気リーク防止が容易にできるという効果が記載されているが、これは、キャビネット２内部を誘導加熱調理器本体１の吸気空間とし、排気口８をキャビネット２の外部である本体１後方後面に設け、キャビネット２内部に排気口を配置しないことによる。
【０００６】
また、キャビネット内部には不特定のものが種々収納されるが、例えばキャビネット２内部にポリ袋やラップのようにフィルム状の薄くて軽い物を入れた場合、冷却ファン６の吸い込み圧力で容易に吸気口７に吸い付き、冷却風量が不足して冷却能力が低下し、誘導加熱調理器本体１内の温度が上昇し保護装置が動作して、加熱が停止したり火力が低下するなど、調理が中断したり火力が不足するなどの不具合が生じるという課題を有していた。
【０００７】
本発明は前記従来の課題を解決するもので、キャビネット内に入れたポリ袋やラップなどフィルム状の異物で吸気口が塞がれて冷却能力が低下することなく、また本体内の温度保護装置が動作して調理が中断したり火力が不足するなどの不具合を起こすことない誘導加熱調理器を提供する。
【課題を解決するための手段】
【０００８】
前記従来の課題を解決するために、本発明の加熱調理器は、調理容器を載置するトッププレートと、前記調理容器を加熱する複数の加熱部と、前記加熱部の少なくとも１つを誘導加熱する誘導加熱手段と、前記誘導加熱手段への通電を制御する通電制御装置と、前記トッププレートの下方の本体筐体を形成すると共に前記通電制御装置と冷却ファンを内蔵する外郭ケースと、前記トッププレートの後方に配された排気口と、前記冷却ファンに近接し前記外郭ケースの底面に設けた第１の吸気口と、前記外郭ケースの底面を覆う底カバーとを備え、前記底カバーの前記第１の吸気口とずれた位置に複数の第２の吸気口を分散して設け、通気口を設けたキャビネットに組み込んで使用するもので、冷却ファンがキャビネットに設けた通気口から本体内に冷却風を吸い込む際、キャビネット内に入れたポリ袋やラップなど薄いものが、冷却ファンの吸引で引き寄せられても、外郭ケースの底面に設けた第１の吸気口と、底カバーに配した第２の吸気口の位置がずれているので冷却ファンの吸い込み圧力が第２の吸気口に直接かかり難く、また第２の吸気口を分散配置しているので、第２の吸気口がすべて遮蔽されて難くなり、冷却能力を確保できるので、本体の温度保護が容易に動作せず、調理が中断したり火力が不足するなどの不具合を防ぐことができる。
【０００９】
また、本発明の誘導加熱調理機は、調理容器を載置するトッププレートと、前記調理容器を加熱する複数の加熱部と、前記加熱部の少なくとも１つを誘導加熱する誘導加熱手段と、前記誘導加熱手段への通電を制御する通電制御装置と、前記トッププレートの下方の本体筐体を形成すると共に前記通電制御装置と冷却ファンを内蔵する外郭ケースと、前記トッププレートの後方に配された排気口と、前記冷却ファンに近接し前記外郭ケースの底面に設けた吸気口とを備えた調理器本体を、外気と直接連通する通気口を有する調理器設置部と収納部との間が仕切り板で仕切られたキャビネットの前記調理器設置部に組み込んで使用するもので、キャビネット内は仕切り板で調理器設置部と収納部とに分離され、通気口が調理器設置部に直接通じているので、通気口から冷却ファンに至る冷却ファンによる吸引力はキャビネットの収納部に作用せず、収納部に入れたものが外郭ケースに設けた吸気口を遮蔽することがない。さらに、キャビネット内が仕切り板で調理器設置部と収納部とに分離されることから、冷却ファンの排気圧力が外郭ケースの接合部などの隙間を通り、冷却ファン吸引力により負圧になっている調理器設置部への廃熱漏れを仕切り板で遮断でき、キャビネット内の収納部に調理器本体の廃熱が達せず、収納部に入れた食品などの温度が上がるなどの不具合が生じない。
【００１０】
また、本発明の誘導加熱調理器は、調理容器を載置するトッププレートと、前記調理容器を加熱する複数の加熱部と、前記加熱部の少なくとも１つを誘導加熱する誘導加熱手段と、前記誘導加熱手段への通電を制御する通電制御装置と、前記トッププレートの下方の本体筐体を形成すると共に前記通電制御装置と冷却ファンを内蔵する外郭ケースと、前記トッププレートの後方に配された排気口と、前記冷却ファンに近接し前記外郭ケースの底面に設けた吸気口とを備えた調理器本体を、外気と連通する通気口を有する収納部と調理器設置部との間が仕切り板で仕切られ、前記調理器本体を組み込んだ時に外郭ケース後面よりも後方に前記収納部と前記調理器設置部を連通する通気連結路を有するキャビネットの前記調理器設置部に組み込んで使用するもので、外気がキャビネットの収納部側から通気連結路を通って調理器設置部側空間に導かれ、加熱調理器本体に吸い込まれる。調理器本体の熱気は調理器設置部側空間に漏れるが、収納部空間には外気が導入されるので、収納部空間には殆ど拡散することなく再度吸気口に吸い込まれ、収納部の温度上昇を抑止できる。
【発明の効果】
【００１１】
本発明の誘導加熱調理器は、調理器本体を組み込むキャビネット内に入れたポリ袋やラップなど薄い異物で、冷却用の空気を取り入れる吸気口のすべてが遮蔽されことがなくなり、冷却能力を確保すると共に、本体の温度保護装置が動作して調理が中断したり火力が不足するなどの不具合を防ぐことができる。
【発明を実施するための最良の形態】
【００１２】
第１の発明は、調理容器を載置するトッププレートと、前記調理容器を加熱する複数の加熱部と、前記加熱部の少なくとも１つを誘導加熱する誘導加熱手段と、前記誘導加熱手段への通電を制御する通電制御装置と、前記トッププレートの下方の本体筐体を形成すると共に前記通電制御装置と冷却ファンを内蔵する外郭ケースと、前記トッププレートの後方に配された排気口と、前記冷却ファンに近接し前記外郭ケースの底面に設けた第１の吸気口と、前記外郭ケースの底面を覆う底カバーとを備え、前記底カバーの前記第１の吸気口とずれた位置に複数の第２の吸気口を分散して設け、通気口を設けたキャビネットに組み込んで使用するもので、冷却ファンがキャビネットに設けた通気口から本体内に冷却風を吸い込む際、キャビネット内に入れたポリ袋やラップなど薄いものが、冷却ファンの吸引で引き寄せられても、外郭ケースの底面に設けた第１の吸気口と、底カバーに配した第２の吸気口の位置がずれているので冷却ファンの吸い込み圧力が第２の吸気口に直接かかり難く、また第２の吸気口を分散配置しているので、第２の吸気口がすべて遮蔽されて難くなり、冷却能力を確保できるので、本体の温度保護が容易に動作せず、調理が中断したり火力が不足するなどの不具合を防ぐことができる。
【００１３】
第２の発明は、特に、第１の発明の底カバーを上面が開口した容器状に形成し、前記底カバーの縦壁面に第２の吸気口を配し、前記上面開口を第１の吸気口に連通させたもので、第２の吸気口が本体外周近くの離れた位置に分散して設けられるので、第２の吸気口全体が遮蔽されることは底面全体に異物吸着することになり、第２の吸気口が全部遮蔽されることは殆ど生じず、本体底面に異物吸着しても第２の吸気口の一部分が遮蔽されるが、全部が遮蔽されにくく、冷却能力を確保して、温度保護装置が働き動作が停止することを低減することができる。
【００１４】
第３の発明は、調理容器を載置するトッププレートと、前記調理容器を加熱する複数の加熱部と、前記加熱部の少なくとも１つを誘導加熱する誘導加熱手段と、前記誘導加熱手段への通電を制御する通電制御装置と、前記トッププレートの下方の本体筐体を形成すると共に前記通電制御装置と冷却ファンを内蔵する外郭ケースと、前記トッププレートの後方に配された排気口と、前記冷却ファンに近接し前記外郭ケースの底面に設けた吸気口とを備えた調理器本体を、外気と直接連通する通気口を有する調理器設置部と収納部との間が仕切り板で仕切られたキャビネットの前記調理器設置部に組み込んで使用するもので、キャビネット内は仕切り板で調理器設置部と収納部とに分離され、通気口が調理器設置部に直接通じているので、通気口から冷却ファンに至る冷却ファンによる吸引力はキャビネットの収納部に作用せず、収納部に入れたものが外郭ケースに設けた吸気口を遮蔽することがない。さらに、キャビネット内が仕切り板で調理器設置部と収納部とに分離されることから、冷却ファンの排気圧力が外郭ケースの接合部などの隙間を通り、冷却ファン吸引力により負圧になっている調理器設置部への廃熱漏れを仕切り板で遮断でき、キャビネット内の収納部に調理器本体の廃熱が達せず、収納部に入れた食品などの温度が上がるなどの不具合が生じない。
【００１５】
第４の発明は、特に、第３の発明の調理器設置部と収納部空間とが仕切り板で遮断され、調理器本体に接続する電源コンセントを前記調理器設置部に収納したキャビネットに組み込んで使用するもので、仕切り板にコード処理の隙間が不要となり、通気口から冷却ファンに至る冷却ファンによる吸引力は収納部に作用せず、収納部に入れたものが調理器本体の吸気口を遮蔽しないので、誘導加熱調理器の冷却を保ちつつ、キャビネット内の収納部空間が密閉され、収納部の防虫効果を高めることができる。
【００１６】
第５の発明は、特に、第３の発明の仕切り板の奥行きを、外郭ケースの後面と略同一の位置までとしたキャビネットに組み込んで使用するもので、キャビネット内は仕切り板で調理器設置部と収納部とに分離され、キャビネットの通気口が調理器設置部に直接通じるので、通気口から冷却ファンに至る冷却ファンによる吸引力はキャビネットの収納部に作用せず、収納部に入れたものが調理器本体の吸気口を遮蔽しないのは第３の発明と同様で、また、キャビネット内が、奥行きを外郭ケース後面と略同一位置までとした仕切り板で、調理器設置部と収納部とに分離されているので、冷却ファンの排気圧力により、外郭ケースの接合部などの隙間を通り調理器設置部へ漏れた廃熱は、仕切り板の上側の冷却ファンの吸引力により負圧になっている調理器設置部側へ吸引されるので、外郭ケースの隙間などから漏れた廃熱が収納部に達しにくい。また、仕切り板が調理器本体の底面をほぼ覆う範囲に設けられることから、キャビネット内の収納部に調理器本体の廃熱が達し難く、収納部に入れた食品などの温度が上がるなどの不具合が生じない効果を維持できる。
【００１７】
さらに、仕切り板がキャビネット内部の途中までの長さなので、キャビネット内の後部に調理器設置部と収納部とが連通して広い部分ができるので、誘導加熱調理器の電源コードの処理とコンセントの設置が自由にできる。
【００１８】
第６の発明は、調理容器を載置するトッププレートと、前記調理容器を加熱する複数の加熱部と、前記加熱部の少なくとも１つを誘導加熱する誘導加熱手段と、前記誘導加熱手段への通電を制御する通電制御装置と、前記トッププレートの下方の本体筐体を形成すると共に前記通電制御装置と冷却ファンを内蔵する外郭ケースと、前記トッププレートの後方に配された排気口と、前記冷却ファンに近接し前記外郭ケースの底面に設けた吸気口とを備えた調理器本体を、外気と連通する通気口を有する収納部と調理器設置部との間が仕切り板で仕切られ、前記調理器本体を組み込んだ時に外郭ケース後面よりも後方に前記収納部と前記調理器設置部を連通する通気連結路を有するキャビネットの前記調理器設置部に組み込んで使用するもので、外気がキャビネットの収納部側から通気連結路を通って調理器設置部側空間に導かれ、調理器本体内に吸い込まれる。調理器本体の熱気は調理器設置部側空間に漏れるが、収納部空間には外気が導入されるので、収納部空間には殆ど拡散することなく再度吸気口に吸い込まれ、収納部の温度上昇を抑止できる。
【００１９】
第７の発明は、特に、第３、第５、第６のいずれか１つの発明の収納部空間を単層または多層の収納庫とし、少なくとも最上層の収納庫の上面を仕切り板で塞ぐようにしたキャビネットに組み込んで使用するもので、調理器本体下の収納部の温度上昇を抑えながら、収納構成を自由にして収納効率を上げることができる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における誘導加熱調理器の断面図、図２は、同誘導加熱調理器の下面斜視図、図３は、同誘導加熱調理器も上面斜視図、図４は、同誘導加熱調理器の分解斜視図を示すものである。
【００２２】
図１から図４において、調理器本体１１（以下”本体１１”という）は、キッチンキャビネット１２のワークトップ１３に設けた開口１４に上から落とし込んで組み込まれている。本体１１の上面は、結晶化ガラスを素材とし調理容器（図示せず）を載置するトッププレート１５で形成され、そのトッププレート１５の周囲をプレート枠１６で囲んで覆っている。
【００２３】
本体１１の内ワークトップ１３に入る部分である外郭ケース１７の上端はフランジ状に曲げられワークトップ１３に係止されている。トッププレート１５には加熱部１８ａ、１８ｂ、１８ｃが印刷され、トッププレート１５を構成する部材内前部には、加熱部１８ａ、１８ｂ、１８ｃに対応する操作部１９ａ、１９ｂ、１９ｃが配されている。操作部１９ａ、１９ｂ、１９ｃは、トッププレート１５に印刷された電極部（図示せず）に触れると電気的容量が変化することで反応する静電容量式のタッチキーで構成されている。
【００２４】
加熱部１８ａ、１８ｂ、１８ｃに対応する本体１内部には、加熱部１８ａ、１８ｂを誘導加熱する誘導加熱手段である加熱コイル２０ａ、２０ｂと、加熱コイル２０ａ、２０ｂ後方に電気抵抗発熱式加熱手段であるラジェントヒーター２１が配されている。操作部１９ａ、１９ｂ、１９ｃに対応する本体内部には操作回路ユニット２２が外郭１７に係止して固定されている。加熱コイル２０ａ、２０ｂの通電制御装置である回路ユニット２３ａ、２３ｂが加熱コイル２０ａ、２０ｂの下方に配され、回路ユニット２３ａ、２３ｂに対応した前方で操作回路ユニット２２下の位置にそれぞれ冷却ファン２４ａ、２４ｂを配置し、その下方の外郭１７底面には、空気を取り入れる吸気口として、冷却ファン２４ａ、２４ｂに近接して配した第１の吸気口２５ａ、２５ｂがある。
【００２５】
回路ユニット２３ａ、２３ｂ内には左右それぞれの加熱コイル２０ａ、２０ｂに対応したインバーター回路を構成する部品であるスイッチング素子２７ａ、２７ｂ（図示せず）の放熱を行うヒートシンク２６ａ、２６ｂと、共振コンデンサ２８ａ、２８ｂおよびその他の部品を搭載している。
【００２６】
また、回路ユニット２３ａ、２３ｂ内のそれぞれに、ヒートシンク２６ａ、２６ｂに固定した第１の温度検知素子２９ａ、２９ｂ、共振コンデンサ２８ａ、２８ｂの後方に配置した第２の温度検知素子３０ａ、３０ｂ、および回路ユニット２３ａ、２３ｂの後方部に配した第３の温度検知素子３１ａ、３１ｂを配している。第１の温度検知素子２９ａ、２９ｂはヒートシンク２６ａ、２６ｂに固定され、スイッチング素子２７ａ、２７ｂの温度を直接的に検知するが、スイッチング素子２７ａ、２７ｂの端子に近接した回路ユニット２３ａ、２３ｂの表面に温度検知素子を取り付け、間接的に検知してもよい。
【００２７】
第２の温度検知素子３０ａ、３０ｂは、共振コンデンサ２８ａ、２８ｂの後方の回路ユニット２３ａ面上に配置し、共振コンデンサ２８ａ、２８ｂの温度を間接的に検知するが、共振コンデンサ２８ａ、２８ｂの表面に取り付け直接的に検知してもよい。
【００２８】
第３の温度検知素子３１ａ、３１ｂは、回路ユニット２３ａ、２３ｂ後方部空中の雰囲気温度を検知するものであるが、回路ユニット２３ａ、２３ｂの表面に直接取り付けてもよい。
【００２９】
プレート枠１６は、トッププレート１５の端面が露出しないようにトッププレート１５を取り囲んでいると同時に、後辺縦壁面には排気口３２を設け、本体１１内部とはトッププレート１５の裏面と外郭１７の上端のフランジ状の曲げ部との隙間を介して連通している。トッププレート１５の全周は、トッププレート１５下方の外郭ケース１７の外形よりも大きくしている。
【００３０】
キャビネット１２の前面は、本体１１の外郭ケース１７を覆う部分の面材上３３と、面材上３３の下部で、引き出しになった収納部３４の前面を覆う面材下３５で覆われている。面材上３３と面材下３５との隙間は、両者の干渉を避けるため、３〜５ｍｍ程度になっていることが多く、調理器本体１１を組み込むキャビネット１２の標準幅を６０ｃｍとすれば、面材上３３と面材下３５の間に１５〜３０平方センチメートル程度の隙間面積が確保され、この隙間面積が、キャビネット１２内に外気を導入する通気口３６となる。
【００３１】
外郭ケース１７には、外郭ケース１７の底面を覆うと共に、第１の吸気口２５ａ、２５ｂの位置とずれた位置に分散して配された第２の吸気口３７を有する底カバー３８が取り付けられている。第２の吸気口３７の総面積は第１の吸気口２５ａ、２５ｂの総面積よりも大きくしている。
【００３２】
なお、本体１の底面が、底カバー３８により２重底の形態となり第１の吸気口２５ａ、２５ｂの真下は塞がれた構成となるので、冷却ファン２４ａ、２４ｂの吸い込み圧損を低減するため、外郭ケース１７底面と底カバー３８の隙間は１０ｍｍから３０ｍｍ程度確保するのが望ましい。
【００３３】
以上のように構成された誘導加熱調理器について、以下その動作、作用を説明する。
【００３４】
第１の吸気口２５ａ、２５ｂの真下には、第２の吸気口３７は配されず、ずれた位置になるので、第１の吸気口２５ａ、２５ｂの吸引圧力が直接第２の吸気口３７にかからなくなり、しかも第２の吸気口３７の総面積は第１の吸気口２５ａ、２５ｂの総面積よりも大きいことから、第２の吸気口３７の吸引圧力が低下する。従って、キャビネット１２の収納部３４に例えばポリ袋や食品用ラップなどフィルム状の軽い異物が収納されていても、第２の吸気口３７に異物が吸着しにくくなると同時に、第２の吸気口３７の総面積は第１の吸気口２５ａ、２５ｂの総面積よりも大きくして分散して配置しているので、第２の吸気口３７の吸い込み風速が第１の吸気口２５ａ、２５ｂの吸い込み風速よりも低下して、異物を吸着しにくくなる。また、第２の吸気口３７の面積が、第１吸気口２５ａ、２５ｂよりも広くかつ、分散して配置しているので、底カバー３８の底面に異物が吸着しても第２の吸気口３７の一部分が遮蔽されることはあっても、全面が遮蔽されにくくなる。
【００３５】
以上のように、本実施の形態によれば、第２の吸気口３７の全てが遮蔽される事が無く、冷却能力を確保してスイッチング素子２７ａ、２７ｂなど発熱部品の温度上昇を抑制し、第１の温度検知素子２９ａ、２９ｂなど複数の温度検知素子が異常温度上昇を検知して、温度保護装置（図示せず）が働き、動作が停止することが低減され、使い勝手のよい誘導加熱調理器を提供するこできる。
【００３６】
（実施の形態２）
図５は、本発明の第２の実施の形態における誘導加熱調理器の断面図、図６は、同誘導加熱調理器の下面斜視図を示すものである。なお、上記第１の実施の形態と同一部分については、同一符号を付してその説明を省略する。
【００３７】
本実施の形態と上記第１の実施の形態とは、底カバーの構成のみ異なり、他の構成は同一である。
【００３８】
図５、６において、底カバー４１は、上面が開口した容器状に形成され、各縦壁面４２、４３、４４、４５に第２の吸気口４６を配し、上面開口を外郭ケース１７の底面に配した第１の吸気口２５ａ、２５ｂに連通するよう、かつ外郭ケース１７の底面のほぼ全体を覆うように取り付けられている。
【００３９】
以上のように構成された誘導加熱調理器について、以下その動作、作用を説明する。
【００４０】
底カバー４１の各縦壁面４２、４３、４４、４５に設けた第２の吸気口４６が、本体１１の外周近くで、しかも夫々離れた位置に分散して設けられることになり、第２の吸気口４６が全て異物で遮蔽される事はほとんど起こり得ない。即ち、第２の吸気口４６全体が遮蔽されることは、底カバー４１全体に異物が吸着することであり、キャビネット１２の幅寸法は６０ｃｍ、奥行き寸法も６０ｃｍ以上が標準的である事を考えると、第２の吸気口４６全部を遮蔽するには、これら大きさ相当の異物で底カバー４１の縦壁面が覆われることであり、そういうケースは殆ど生じにくい。
【００４１】
従って、本体１１底面に異物が有る場合、第２の吸気口４６の一部分が遮蔽されることはあっても、全部は遮蔽されにくく、スイッチング素子２７ａ、２７ｂなど発熱部品の温度上昇を確実に抑制し、第１の温度検知素子２９ａ、２９ｂなど複数の温度検知素子が異常温度上昇を検知して、温度保護装置が働き、動作が停止することが低減し、使い勝手のよい誘導加熱調理器を提供できる。
【００４２】
なお、第２の吸気口４６の開口総面積を、第１の吸気口２５ａ、２５ｂのそれよりも大きくすれば、第２の吸気口６での吸込み風速が第１の吸気口２５ａ、２５ｂより低下し、異物吸着防止効果をより高めることができる。
【００４３】
また、本体１の底面が２重底の形態となり第１の吸気口２５ａ、２５ｂの真下は塞がれた構成となるので、冷却ファン２４ａ、２４ｂの吸い込み圧損を低減するため、外郭ケース１７底面と底カバー３８との隙間は１０ｍｍから３０ｍｍ程度確保するのが望ましい。
【００４４】
（実施の形態３）
図７は、本発明の第３の実施の形態における誘導加熱調理器をキャビネットに組み込んだ状態を示す断面図、図８は、同誘導加熱調理器の下面斜視図を示すものである。
【００４５】
本実施の形態と上記第１の実施の形態とは、底カバーを廃止し、キャビネットの構成を変えた点のみ異なり、他の構成、作用は、上記第１の実施の形態と同一なので、同一符号を付してその説明を省略する。
【００４６】
図７、８において、本体１１の外郭ケース１７の底面には第１の吸気口２５ａ、２５ｂを設けている。キャビネット１２には、調理器設置部５１と収納部５２との間を完全に仕切る仕切り板５３が設けられ、調理器設置部５１には、外気と直接通じる通気口５４が設けられている。
【００４７】
通気口５４は、キャビネット１２のワークトップ１３の前端から奥まった位置のワークトップ１３の裏面側とキャビネット最上段引き出しの面材上５５との隙間と、面材上５５と桟板５６との間のパッキン５７により形成される隙間とによる通気路５８の奥の桟板５６に設けられている。
【００４８】
ワークトップ１３裏面側とキャビネット１２最上段引き出しの面材上５５との隙間は、キャビネット１２の外観上３〜５ｍｍ程度のことが多く、本体１１を組み込むキャビネット１２の標準幅を６０ｃｍとすれば、１５〜３０平方センチメートル程度の隙間面積が確保される。
【００４９】
また、調理器本体１１に接続する電源コンセント５９は、調理器設置部５１の空間に、電源プラグ６０がキャビネット１２のワークトップ１３側向きになるよう固定し、電源プラグ６０を差し込んだとき、電源プラグ６０と仕切り板５３との隙間Ａが、電源プラグ６０のプラグ刃（図示せず）の長さよりも短くなるように設定している。
【００５０】
以上のように構成された誘導加熱調理器について、以下その動作、作用を説明する。
【００５１】
キャビネット１２内は仕切り板５３で調理器設置部５１と収納部５２とに完全に分離され、キャビネット１２の通気口５４が調理器設置部５１に直接連通する構成なので、通気口５４から冷却ファン２４ａ、２４ｂに至るまでの、冷却ファン２４ａ、２４ｂによる吸引力はキャビネット１２の収納部５２に作用せず、収納部５２に入れた例えばポリ袋や食品用ラップなどフィルム状の薄いものが吸い寄せられることはない。
【００５２】
また、収納部５２に入れたものは、上方を仕切り板５３で押さえられるので、本体１１の吸気口２５ａ、２５ｂが遮蔽される事はない。さらに、本体１１の冷却ファン２４ａ、２４ｂの排気圧力が外郭ケース１７の接合部などの隙間を通り、冷却ファン２４ａ、２４ｂの吸引力により負圧になっている調理器設置部５１への廃熱漏れがあるが、この廃熱漏れが仕切り板５３で収納部５２に達しないよう遮断されるので、収納部５２に入れた食品などの温度が上がるなどの不具合が生じることがない。
【００５３】
また、電源プラグ６０の電源接続を、仕切り板５３の上空間である調理器設置部５１で行うので、電源コード６１の処理を調理器設置部５１内で完結でき、仕切り板５３にコード処理の隙間が不要となる。これにより、キャビネット１２内の収納部５２空間が密閉され、収納部５２にゴキブリなどが侵入しないようにする防虫効果を高めることができる。
【００５４】
さらに、電源コンセント５９を、電源プラグ６０がキャビネット１２のワークトップ１３側向きになるよう固定し、電源プラグ６０を差し込んだとき電源プラグ６０と仕切り板５３との隙間Ａをプラグ刃の長さよりも短くする位置に設置することで、電源プラグ６０が抜けるとき仕切り板５３に当たるので、電源プラグ６０の抜け防止ができ、仕切り板５３で電源プラグ６０が見えなくても、抜けによる電源プラグ６０の接続不良は生じない。
【００５５】
（実施の形態４）
図９は、本発明の第４の実施の形態における誘導加熱調理器をキャビネットに組み込んだ状態を示す断面図である。
【００５６】
本実施の形態と上記第３の実施の形態とは、キャビネット内部の仕切り板などの構成が異なるもので、構成の相違点と誘導加熱調理器を組み込んだ状態での作用を述べる。
【００５７】
本実施の形態は、仕切り板７１の奥行きを、外郭ケース１７の後面と略同一の位置までとしたものである。キャビネット１２内部は仕切り板７１によって、調理器設置部５１と収納部５２とに分離されるが、仕切り板７１の奥行きは、外郭ケース１７後面と略同一位置までなので、仕切り板７１の後端よりキャビネット１２の後壁１２ａまでの幅Ｂ間で、調理器設置部５１と収納部５２とが連通した状態となる。
【００５８】
これにより、キャビネット１２内は、仕切り板７１で調理器設置部５１と収納部５２とに大きく分離され、キャビネット１２の通気口５４が調理器設置部５１に直接通じるので、通気口５４から冷却ファン２４ａ、２４ｂに至る冷却ファン２４ａ、２４ｂによる吸引力はキャビネット１２の収納部５２に作用しにくくなる。従って、収納部５２に入れたものが本体１１の第１の吸気口２５ａ、２５ｂを遮蔽しにくくなる。
【００５９】
また、キャビネット１２内が、奥行きが外郭ケース１７の後面と略同一位置までとした仕切り板７１で、調理器設置部５１と収納部５２とに分離されることから、本体１１の冷却ファン２４ａ、２４ｂの排気圧力により、外郭ケース１７の接合部などの隙間を通り調理器設置部５１へ漏れた廃熱は、仕切り板７１の上側にある冷却ファン２４ａ、２４ｂの吸引力により負圧になっている仕切り板７２上側の調理器設置部５１側へ吸引される。
【００６０】
外郭ケース１７の接合部などの隙間を通り調理器設置部５１へ漏れたの廃熱は、仕切り板７１が調理器本体１１の底面をほぼ覆う範囲に設けられることから、仕切り板７１によって受け止められ、第１の吸き口２５ａ、２５ｂに吸引されるので、キャビネット１２内の収納部５２には達し難く、収納部５２に入れた食品などの温度が上がるなどの不具合が生じない効果を維持できる。
【００６１】
さらに、仕切り板５７がキャビネット１２内部の途中までの長さで、キャビネット１２内の後部に調理器設置部５１と収納部５２とが連通した幅Ｂの部分ができ、電源コード６１の処理や電源コンセント５９の設置が自由にでき、設置性が良好である。
【００６２】
（実施の形態５）
図１０は、本発明の第５の実施の形態における誘導加熱調理器をキャビネットに組み込んだ状態を示す断面図である。なお、上記実施の形態と同一部分については、同一符号を付してその説明を省略する。
【００６３】
本実施の形態は、調理器設置部５１と収納部５２とを仕切る仕切り板８１の後端より奥部分の幅Ｃ間で、調理器設置部５１と収納部５２とが連通する通気連結路８２とし、仕切り板８１の奥行きを、外郭ケース１７の後面よりも後方までとし、外気と収納部５２とを連通する通気口８３を仕切り板８１より下に設けたものである。
【００６４】
これにより、外気がキャビネット１２の収納部５２側から仕切り板８１の奥に設けた幅Ｃの通気連結路８２を通って調理器設置部５１側空間に導かれ、本体１１内の冷却ファン２４ａ、２４ｂにより吸い込まれる。収納部５２空間には外気が導入されるので、本体１１の熱気は調理器設置部５１側空間に漏れるが、通気連結路８２を冷却ファン２４ａ、２４ｂにより通気が上方に流れるので、収納部５２空間には熱気が殆ど拡散することなく再度第１の吸気口２５ａ、２５ｂに吸い込まれる。この結果、収納部５２の温度上昇を抑止できる。
【００６５】
（実施の形態６）
図１１は、本発明の第６の実施の形態における誘導加熱調理器をキャビネットに組み込んだ状態を示す断面図である。なお、上記実施の形態と同一部分については、同一符号を付してその説明を省略する。
【００６６】
本実施の形態は、本体１１を設置する調理器設置部９１と仕切り板９２で仕切られた収納部９３空間を、２層の引き出しから成る上段収納庫９４と下段収納庫９５とし、少なくとも上段収納庫９４の上面を塞ぐ範囲に仕切り板９２を設けたもので、他の構成は上記第４の実施の形態と同一である。
【００６７】
上記構成により、本体１１下の収納部９３のうち、最上部の上段収納庫９４の上面が仕切り板９２で塞がれるので、上段収納庫９４内の温度上昇を抑えることができる。また、下段収納庫９５は、上段収納庫９４で上部のほとんどが塞がれると共に、仕切り板９２との間に上段収納庫９４があることから、熱気は達しにくくなり、収納部９３全体の温度上昇を抑えながら、収納部９３の構成を自由にして不活用スペースを少なくし、収納効率を上げることができる。
【００６８】
なお、本実施の形態では収納部９３を２層の引き出し構成としたが、これに限定するものでなく、３層以上で最上段の引き出しの上面が仕切り板９２で塞がれていれば同様の効果を得ることができる。また、収納部９３を単層の引き出し構成とし、引き出しの上面を仕切り板９２で塞ぐようにしても同等の効果を得ることができる。
【００６９】
また、キャビネット１２内に通じる通気口５４は、本実施の形態では調理器設置部９１に通じる構成としたが、これに限定するものでなく、通気口５４は仕切り板９２より下の収納部９３に通じる位置にあってもよく、引き出しなどに構成した多層の収納庫のうち最上層の収納庫が、その上面を仕切り板で塞ぐ構成になっていれば、同様の効果を得ることができる。
【産業上の利用可能性】
【００７０】
以上のように、本発明にかかる誘導加熱調理器は、調理器本体の外郭ケース底面に設けた第１の吸気口が、キャビネットの収納部に入れたポリ袋やラップなどの異物で遮蔽される事が無く、冷却能力を確保できるので、本体の温度保護装置が動作して調理が中断したり火力が不足するなどの不具合を防ぐことができるもので、外気を冷却用或いは／及び乾燥用に取り入れる機能を有すると共に、キッチンのキャビネット等に組み込んで使用される調理器や乾燥機器など各種機器に広く適用できる。
【図面の簡単な説明】
【００７１】
【図１】本発明の実施の形態１における誘導加熱調理器をキャビネットに組み込んだ状態を示す断面図
【図２】同誘導加熱調理器の下面斜視図
【図３】同誘導加熱調理器の上面斜視図
【図４】同誘導加熱調理器の分解斜視図
【図５】本発明の実施の形態２における誘導加熱調理器をキャビネットに組み込んだ状態を示す断面図
【図６】同誘導加熱調理器の下面斜視図
【図７】本発明の実施の形態３における誘導加熱調理器をキャビネットに組み込んだ状態を示す断面図
【図８】同誘導加熱調理器の下面斜視図
【図９】本発明の実施の形態４における誘導加熱調理器をキャビネットに組み込んだ状態を示す断面図
【図１０】本発明の実施の形態５における誘導加熱調理器をキャビネットに組み込んだ状態を示す断面図
【図１１】本発明の実施の形態６における誘導加熱調理器をキャビネットに組み込んだ状態を示す断面図
【図１２】従来例の誘導加熱調理器をキャビネットに組み込んだ状態を示す断面図
【図１３】同誘導加熱調理器の斜視図
【符号の説明】
【００７２】
１１  本体
１２  キャビネット
１５  トッププレート
１７  外郭ケース
１８ａ、１８ｂ、１８ｃ  加熱部
２０ａ、２０ｂ  加熱コイル（誘導加熱手段）
２３ａ、２３ｂ  回路ユニット（通電制御装置）
２４ａ、２４ｂ  冷却ファン
２５ａ、２５ｂ  第１の吸気口（吸気口）
３２  排気口
３６、５４、８３  通気口
３７、４６  第２の吸気口
３８、４１  底カバー
４２、４３、４４、４５  縦壁面
５１、９１  調理器設置部
５２、９３  収納部
５３、７１、８１、９２  仕切り板
５９  電源コンセント
８２  通気連絡路
９４  上段収納庫
９５  下段収納庫
【図１】
2006073422.tif 000003
【図２】
2006073422.tif 000004
【図３】
2006073422.tif 000005
【図４】
2006073422.tif 000006
【図５】
2006073422.tif 000007
【図６】
2006073422.tif 000008
【図７】
2006073422.tif 000009
【図８】
2006073422.tif 000010
【図９】
2006073422.tif 000011
【図１０】
2006073422.tif 000012
【図１１】
2006073422.tif 000013
【図１２】
2006073422.tif 000014
【図１３】
2006073422.tif 000015